(57)【要約】【課題】キーボードの重さ、厚さ、材料および生産コストを減少さる発光メンブレンスイッチを提供する。【解決手段】導光層１、電源接点１５、スペーサー２および下部接点シート３を含み、導光層１の表面部分１１には発光面１３がプリントされて、裏面部分１２には１つ以上の上部接点１４が設けられており、この上部接点１４と下部接点３１とは対応し、導光層１はスペーサー２の上に設けられ、電源接点１５は、導光層１の側面に設けられ、スペーサー２は、導光層１と下部接点シート３との間に設けられている。下部接点シート３は、１つ以上の下部接点３１を備えており、スペーサー２の下に設けられている。電源接点１５を電源につなぎ、発光面１３を発光させ、キーボタン４を発光させたり、キーボタンの隙間４１から光線を放出したりする。上部接点１４は対応する穿孔２１を介して下部接点３１と接触して導電させる。【選択図】図１
0003126458.tif 000002
【実用新案登録請求の範囲】
【請求項１】
導光層、電源接点、スペーサーおよび下部接点シートを備える発光メンブレンスイッチであって、
前記導光層は、表面部分に発光面がプリントされ、裏面部分に１つ以上の上部接点を有し、該上部接点は下部接点と対応し、前記導光層は前記スペーサー上に配置され、
前記電源接点は、前記導光層の側面に配置され、
前記スペーサーは、１つ以上の穿孔を有し、該穿孔は前記上部接点および下部接点と対応するようになっており、前記スペーサーは導光層と下部接点シートとの間に配置され、
前記下部接点シートは、１つ以上の前記下部接点が配置され、該下部接点間はそれぞれ配線がプリントされ繋がり、前記下部接点は前記上部接点と対応し、前記下部接点シートは前記スペーサーの下に設けられていることを特徴とする発光メンブレンスイッチ。
【請求項２】
前記発光面は、エレクトロルミネッセンスによりプリントされることを特徴とする請求項１記載の発光メンブレンスイッチ。
【請求項３】
前記導光層、前記スペーサーおよび前記下部接点シートは、カバーを使って全て包み込まれることにより防水機能を有することを特徴とする請求項１記載の発光メンブレンスイッチ。
【請求項４】
導光層、電源接点および下部接点シートを備える発光メンブレンスイッチであって、
前記導光層は、表面部分に発光面がプリントされ、裏面部分は１つ以上の上部接点を有し、該上部接点は下部接点と対応し、前記導光層の裏面部分の前記上部接点以外の部分は、すべて厚さが厚くされ、かつ、前記上部接点より厚くなり、
前記電源接点は、前記導光層の側面に配置され、
前記下部接点シートは、１つ以上の前記下部接点が配置され、該下部接点間はそれぞれ配線がプリントされ繋がり、前記下部接点は前記上部接点と対応し、前記下部接点シートは前記導光層の下に配置されていることを特徴とする発光メンブレンスイッチ。
【請求項５】
導光層、電源接点および下部接点シートを備える発光メンブレンスイッチであって、
前記導光層は、表面部分に発光面がプリントされ、裏面部分は１つ以上の上部接点を有し、該上部接点は下部接点と対応し、前記導光層は前記下部接点シート上に配置され、
前記電源接点は、前記導光層の側面に配置され、
前記下部接点シートは、１つ以上の前記下部接点が配置され、該下部接点間はそれぞれ配線がプリントされ繋がり、前記下部接点は前記上部接点と対応し、前記下部接点シートの下部接点以外の部分は、すべて厚さが厚くされ、かつ、前記下部接点より厚くなることを特徴とする発光メンブレンスイッチ。
【請求項６】
導光層および下部接点シートは、カバーを使って全て包み込まれることにより、密封状態になり防水機能を有することを特徴とする請求項４または５記載の発光メンブレンスイッチ。
【考案の詳細な説明】
【技術分野】
【０００１】
本考案は、発光メンブレンスイッチ、特にパソコンのキーボードに使用される発光メンブレンスイッチに関する。
【背景技術】
【０００２】
現在、市販されているキーボードで、最も一般的な構造は、１つ以上のキーボタンを含み、キーボタンの下には導光層、スペーサーおよび下部接点シートからなるメンブレンスイッチを備え、メンブレンスイッチの下には底盤があるものである。
もう１つのキーボードの構造は、特許文献１で開示されているように、キーボードおよびバックライトからなる発光するキーボードで、キーボードの下方にバックライトを配置し、キーボードの下方からバックライトにより光源を提供することによって、キーボードを発光させるものである。
この構造は、キーボードを発光させることができるが、バックライトは一般的に光源、導光板および反射ドットが必要である。場合によってはリフレクターおよび散光板が必要になることもあるが、バックライトは安定した光源を供給でき、キーボード全体を均等に発光させる効果が得られる。バックライトを構成する部品が多すぎると、バックライトの厚さおよび重さが増え、コストが上昇してしまう。また、バックライトがキーボードに取り付けられると、キーボード全体の厚さおよび重さが増えてしまう。
上記の欠点をいかにして解決し、発光するキーボードを提供することと、キーボード全体の厚さを薄くすることおよびコストを下げることが、本考案が解決を目指す問題点である。
【特許文献１】台湾特許第５０９９５５号公報
【特許文献２】特開平６−６８７４３号公報
【考案の開示】
【考案が解決しようとする課題】
【０００３】
本考案の目的は、大幅にキーボードの重さ、厚さ、材料および生産コストを減少させることができる発光メンブレンスイッチを提供することにある。
【課題を解決するための手段】
【０００４】
本考案の発光メンブレンスイッチは、導光層、電源接点、スペーサーおよび下部接点シートを備える。導光層の表面部分には発光面がプリントされているが、この発光面は、エレクトロルミネッセンスでよく、また導光層の裏面部分には１つ以上の上部接点が設けられており、この上部接点と下部接点とは対応し、導光層はスペーサーの上に設けられている。電源接点は、導光層の側面に設けられている。スペーサーは、１つ以上の穿孔を有し、この穿孔は前記上部接点および下部接点と対応するようになっており、スペーサーは導光層と下部接点シートとの間に設けられている。下部接点シートは、１つ以上の下部接点を備えており、下部接点間はそれぞれ配線がプリントされ繋がっている。下部接点は上部接点と対応し、下部接点シートはスペーサーの下に設けられている。
【０００５】
すなわち、前記課題を解決するために、請求項１の考案は、導光層、電源接点、スペーサーおよび下部接点シートを備える発光メンブレンスイッチであって、前記導光層は、表面部分に発光面がプリントされ、裏面部分に１つ以上の上部接点を有し、該上部接点は下部接点と対応し、前記導光層は前記スペーサー上に配置され、前記電源接点は、前記導光層の側面に配置され、前記スペーサーは、１つ以上の穿孔を有し、該穿孔は前記上部接点および下部接点と対応するようになっており、前記スペーサーは導光層と下部接点シートとの間に配置され、前記下部接点シートは、１つ以上の前記下部接点が配置され、該下部接点間はそれぞれ配線がプリントされ繋がり、前記下部接点は前記上部接点と対応し、前記下部接点シートは前記スペーサーの下に設けられていることを特徴とする発光メンブレンスイッチである。
請求項２の考案は、前記発光面は、エレクトロルミネッセンスによりプリントされることを特徴とする請求項１記載の発光メンブレンスイッチである。
請求項３の考案は、前記導光層、前記スペーサーおよび前記下部接点シートは、カバーを使って全て包み込まれることにより防水機能を有することを特徴とする請求項１記載の発光メンブレンスイッチである。
【０００６】
請求項４の考案は、導光層、電源接点および下部接点シートを備える発光メンブレンスイッチであって、前記導光層は、表面部分に発光面がプリントされ、裏面部分は１つ以上の上部接点を有し、該上部接点は下部接点と対応し、前記導光層の裏面部分の前記上部接点以外の部分は、すべて厚さが厚くされ、かつ、前記上部接点より厚くなり、前記電源接点は、前記導光層の側面に配置され、前記下部接点シートは、１つ以上の前記下部接点が配置され、該下部接点間はそれぞれ配線がプリントされ繋がり、前記下部接点は前記上部接点と対応し、前記下部接点シートは前記導光層の下に配置されていることを特徴とする発光メンブレンスイッチである。
請求項５の考案は、導光層、電源接点および下部接点シートを備える発光メンブレンスイッチであって、前記導光層は、表面部分に発光面がプリントされ、裏面部分は１つ以上の上部接点を有し、該上部接点は下部接点と対応し、前記導光層は前記下部接点シート上に配置され、前記電源接点は、前記導光層の側面に配置され、前記下部接点シートは、１つ以上の前記下部接点が配置され、該下部接点間はそれぞれ配線がプリントされ繋がり、前記下部接点は前記上部接点と対応し、前記下部接点シートの下部接点以外の部分は、すべて厚さが厚くされ、かつ、前記下部接点より厚くなることを特徴とする発光メンブレンスイッチである。
請求項６の考案は、導光層および下部接点シートは、カバーを使って全て包み込まれることにより、密封状態になり防水機能を有することを特徴とする請求項４または５記載の発光メンブレンスイッチである。
【０００７】
前記考案は、前記導光層の側面に設けられた電源接点を電源につなぎ、導光層の表面部分の発光面を発光させ、透光性を持つキーボタンを発光させたり、キーボタンの隙間から光線を放出したりすることにより、暗闇の中においてもキーボード上の符号をはっきり見ることができ、外部の光源を必要としない。上部接点は対応する穿孔を介して下部接点シート上の下部接点と接触し、下部接点を導電させる。
【考案の効果】
【０００８】
本考案によれば、導光層のみで光源およびキーボードの役割を果たすので、大幅にキーボードの重さ、厚さ、材料および生産コストを減少させることができ、発光する軽くて薄いキーボードの構造を実現するに至った。
【考案を実施するための最良の形態】
【０００９】
本考案の発光メンブレンスイッチの好適な実施例を図面に沿って説明する。
本考案の実施例１は、図１及び図２に示すようなもので、この発光メンブレンスイッチは、導光層１、電源接点１５、スペーサー２および下部接点シート３を備える。導光層１の表面部分１１には発光面１３がプリントされているが、この発光面１３は、エレクトロルミネッセンスでよく、また導光層１の裏面部分１２には１つ以上の上部接点１４が設けられており、この上部接点１４と下部接点３１とは接触するようになっており、導光層１はスペーサー２の上に設けられている。電源接点１５は、導光層１の側面に設けられている。スペーサー２は、１つ以上の穿孔２１を有し、この穿孔２１は上部接点１４および下部接点３１と対応するようになっており、スペーサー２は導光層１と下部接点シート３との間に設けられている。下部接点シート３は、１つ以上の下部接点３１を備えており、下部接点３１間は配線３２がプリントされ繋がっている。下部接点３１は上部接点１４と接触するようになっており、下部接点シート３はスペーサー２の下に設けられている。
【００１０】
図３は、本考案の実施例１の動作状態を示す模式図である。導光層１の側面に設けられた電源接点１５を電源につなぎ、導光層１の表面部分１１の発光面１３を発光させ、透光性を持つキーボタン４を発光させたり、キーボタンの隙間４１から光線を放出したりすることにより、暗闇の中においてもキーボード上の符号をはっきり見ることができ、外部の光源を必要としない。上部接点１４は対応する穿孔２１を介して下部接点シート３上の下部接点３１と接触し、下部接点３１を導電させる。従来のバックライトと異なり、本考案は導光層１のみで光源およびキーボードの役割を果たすので、大幅にキーボードの重さ、厚さ、材料および生産コストを減少させることができ、発光する軽くて薄いキーボードの構造を可能となった。
【００１１】
本考案の別の実施例２は、図４に示すように、さらにプリント技術を利用して、導光層１の裏面部分１２の上部接点１４以外の部分の厚さを厚くし、上部接点１４より厚くすることにより、スペーサー２の機能に変えることができ、すなわち、実施例１のように別途にスペンサー２を省くことができる。他の構成は実施例１と同じあるので説明は省略する。
また、本考案の別の実施例３は、図５で示すように、下部接点シート３上の下部接点３１以外の部分は、すべて厚さを厚くし、下部接点３１より厚くすることにより、同様の効果を得ることができる。他の構成は実施例１と同じあるので説明は省略する。
【００１２】
本考案の別の実施例４は、図６に示すように、さらにカバー５を使って３層構造を全て包み込むことにより、密封状態になり防水機能を有することができる。他の構成は実施例１と同じあるので説明は省略する。
勿論、この実施例４の構成は、前述した実施例１の他に実施例２、実施例３の発光メンブレンスイッチと組み合わせることができる。
なお、本考案の特徴を損なうものでなければ、前述した各実施例に限定されるものではないことは勿論である。
【図面の簡単な説明】
【００１３】
【図１】本考案の実施例の発光メンブレンスイッチを示す斜視図である。
【図２】本考案の実施例の発光メンブレンスイッチを示す断面図である。
【図３】本考案の実施例の発光メンブレンスイッチの動作状態を示す模式図である。
【図４】本考案の別の実施例による第１の発光メンブレンスイッチを示す断面図である。
【図５】本考案の更に別の実施例による第２の発光メンブレンスイッチを示す断面図である。
【図６】本考案の更に別の実施例による第３の発光メンブレンスイッチを示す断面図である。
【符号の説明】
【００１４】
１  導光層
１１  表面部分
１２  裏面部分
１３  発光面
１４  上部接点
１５  電源接点
２  スペーサー
２１  穿孔
３  下部接点シート
３１  下部接点
３２  配線
４  キーボタン
４１  キーボタンの隙間
５  カバー
【図１】
0003126458.tif 000003
【図２】
0003126458.tif 000004
【図３】
0003126458.tif 000005
【図４】
0003126458.tif 000006
【図５】
0003126458.tif 000007
【図６】
0003126458.tif 000008